(57)【要約】【課題】  電力の無駄な消費を抑えることができる操作端末器を提供する。【解決手段】  ハンドルカバー３２は、各個別スイッチ４１をそれぞれ覆う閉位置において１個の個別スイッチ４１を押操作する押し部３２ｉを有し、制御部は、ハンドルカバー３２の押し部によって押操作される個別スイッチ４１が所定時間以上にわたって押し続けられているときにハンドルカバー３２が閉位置にあると判定して個別表示灯４５を全て消灯させる。ハンドルカバー３２が各個別スイッチ４１をそれぞれ覆う閉位置にあるときの個別表示灯４５の点灯による無駄な電力消費を防ぐことができる。【選択図】図１
2008109516.tif 000002
【特許請求の範囲】
【請求項１】
個別のアドレスが割り当てられた操作スイッチを有して伝送路に接続されいずれかの操作スイッチが操作されたときに操作された操作スイッチのアドレスを含むデータを伝送路に送信する操作端末器と、負荷への給電路に挿入されたリレーを有し伝送路に接続され自身が有するリレーに予め対応付けられたアドレスを含むデータが伝送路から受信されたときに該データに含まれるアドレスに対応するリレーをオンオフ制御する制御端末器とを有する遠隔制御システムに用いられる操作端末器であって、
操作スイッチとして、それぞれ１個のリレーに対応付けられる複数個の個別スイッチと、複数個のリレーに対応付けられるグループスイッチとを有し、
伝送路に接続されてデータの送受信を行う通信部と、
各個別スイッチとグループスイッチとのそれぞれに対応して少なくとも１個ずつ設けられた表示灯と、
各表示灯においてそれぞれ対応する個別スイッチ乃至グループスイッチが対応付けられたリレーのオンオフが発光状態により表示されるように各表示灯をそれぞれ制御する制御部と、
各個別スイッチとグループスイッチと各表示灯と通信部と制御部とをそれぞれ保持したハウジングと、
ハウジングに対して各個別スイッチをそれぞれ覆う閉位置と各個別スイッチをそれぞれ露出させる開位置との間で変位可能に取り付けられ、閉位置においては操作力を受けてグループスイッチに伝達するハンドルカバーと、
ハンドルカバーが閉位置にあるか開位置にあるかを検出する開閉検出手段とを備え、
ハンドルカバーには、ハンドルカバーが閉位置にあるときにグループスイッチの各表示灯の光をそれぞれ通過させる窓部が設けられ、
制御部は、開閉検出手段によってハンドルカバーが閉位置にあることが検出されているときには個別スイッチの表示灯を全て消灯させることを特徴とする操作端末器。
【請求項２】
ハンドルカバーは、閉位置において開閉検出手段としての少なくとも１個の個別スイッチを押操作する押し部を有し、
制御部は、ハンドルカバーの押し部によって押操作される全ての個別スイッチが所定時間以上にわたって押し続けられているときにハンドルカバーが閉位置にあると判定して個別スイッチの表示灯を全て消灯させることを特徴とする請求項１記載の操作端末器。
【請求項３】
押し部は複数個の個別スイッチを同時に押操作するものであることを特徴とする請求項２記載の操作端末器。
【請求項４】
開閉検出手段は、ハンドルカバーに保持された検出用磁石と、ハウジングに保持されて検出用磁石の磁力を検知するホールセンサとからなり、
制御部は、ホールセンサの出力に基づいてハンドルカバーが開位置にあるか閉位置にあるかを判定し、ハンドルカバーが閉位置にあるときには個別スイッチの表示灯を全て消灯させることを特徴とする請求項１記載の操作端末器。
【発明の詳細な説明】
【技術分野】
【０００１】
本発明は、操作端末器に関するものである。
【背景技術】
【０００２】
従来から、図１０に示すように、それぞれ制御端末器としての制御親器１０１及び制御子器１０２と、複数台の操作端末器１０３，１０４，１０５と、アドレス設定用端末器１０６とがそれぞれ伝送路としての２線式の信号線Ｌｓに接続（マルチドロップ接続）された遠隔制御システムが知られている（例えば、特許文献１及び特許文献２参照）。
【０００３】
操作端末器１０３，１０４，１０５はそれぞれ個別にアドレスが設定された少なくとも１個の操作スイッチ１０３ａ，１０４ａ，１０５ａを備え、自身が備える操作スイッチ１０３ａ，１０４ａ，１０５ａの操作状態を監視している。
【０００４】
制御親器１０１及び制御子器１０２は、それぞれ個別にアドレスが設定されて負荷への給電路に挿入された複数個（例えば制御親器で８個、制御子器で４個）のリレー（図示せず）を備える。操作スイッチ１０３ａ，１０４ａ，１０５ａ及びリレーのアドレスは、それぞれアドレス設定用端末器１０６によって設定される。
【０００５】
制御親器１０１は、信号線Ｌｓに対し、図１１（ａ）に示すフォーマットの伝送信号Ｖｓを送出する。伝送信号Ｖｓは、信号の始点を示すスタートパルス信号ＳＴ、伝送信号Ｖｓのモードを示すモードデータＭＤ、制御子器１０２のリレーのアドレスや操作端末器１０３，１０４，１０５の操作スイッチ１０３ａ，１０４ａ，１０５ａのアドレスを示すアドレスデータＡＤ、リレーの制御内容などを示す制御データＣＤ、伝送誤りを検出するためのチェックサムデータＣＳ、制御子器１０２や操作端末器１０３，１０４，１０５からの返送信号を受信するタイムスロットである信号返送期間ＷＴよりなる双極性（±２４Ｖ）の時分割多重信号であり、図１１（ｂ）に示すようなパルス幅変調によってデータを伝送する。制御子器１０２及び操作端末器１０３，１０４，１０５では、信号線Ｌｓを介して受信された伝送信号ＶｓのアドレスデータＡＤに示されたアドレスが、自身の有するリレーや操作スイッチ１０３ａ，１０４ａ，１０５ａのアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送信される信号）として返送する。
【０００６】
制御親器１０１から制御子器１０２や操作端末器１０３，１０４，１０５へデータを伝送する場合には、モードデータＭＤを制御モードとし、制御子器１０２の備えるリレーや操作端末器１０３，１０４，１０５の備える操作スイッチ１０３ａ，１０４ａ，１０５ａに予め割り当てられたアドレスをアドレスデータＡＤに示した伝送信号Ｖｓを信号線Ｌｓに送信する。すると、アドレスデータＡＤに示されたアドレスを割り当てられたリレーや操作スイッチ１０３ａ，１０４ａ，１０５ａを有する制御子器１０２や操作端末器１０３，１０４，１０５が伝送信号Ｖｓから制御データＣＤを取り込み（すなわち伝送信号Ｖｓを受信し）、信号返送期間ＷＴに監視データを返送する。制御親器１０１では、送信した制御データＣＤと信号返送期間ＷＴに受信された監視データとの関係によって、制御データＣＤが正しく伝送されたことを確認する。制御子器１０２が制御モードの伝送信号Ｖｓを受信した場合、その制御子器１０２は、受け取った制御データＣＤに従って対応するアドレスのリレーをオンオフ制御することにより、負荷への給電をオンオフする。
【０００７】
また、制御親器１０１は、通常時にはモードデータＭＤをダミーモードとした伝送信号Ｖｓを一定時間間隔で送信する常時ポーリングを行っており、操作端末器１０３，１０４，１０５が制御親器１０１に対して何らかのデータを送信しようとするときには、ダミーモードの伝送信号Ｖｓのスタートパルス信号ＳＴに同期させて図１１（ｃ）のような割込信号Ｖｉを発生させる。このとき、操作端末器１０３，１０４，１０５では割込フラグを設定して制御親器１０１との以後の情報授受に備える。割込信号Ｖｉを受信した制御親器１０１では、モードデータＭＤを割込ポーリングモードとし且つアドレスデータＡＤの上位の半数のビットを順次増加させながら伝送信号Ｖｓを送信する。割込信号Ｖｉを送信した操作端末器１０３，１０４，１０５では、割込ポーリングモードの伝送信号のアドレスデータＡＤの上位の半数のビットが、操作端末器１０３，１０４，１０５の有する操作スイッチ１０３ａ，１０４ａ，１０５ａのアドレスの上位の半数のビットに一致するときに、信号返送期間ＷＴにアドレスの下位の半数のビットを信号線Ｌｓを介して制御親器１０１に返送する。制御親器１０１では、上記動作によって操作スイッチ１０３ａ，１０４ａ，１０５ａのアドレスを獲得すると、モードデータＭＤを監視モードとし、獲得されたアドレスをアドレスデータＡＤに示す伝送信号Ｖｓを信号線Ｌｓに送出する。割込信号を発生した操作端末器１０３，１０４，１０５は、この伝送信号Ｖｓの信号返送期間ＷＴに、伝送しようとするデータを返送する。最後に、制御親器１０１は割込信号を発生した操作端末器１０３，１０４，１０５に対して割込リセットを要求する信号を送信し、操作端末器１０３，１０４，１０５の割込フラグを解除する。以上のようにして、操作端末器１０３，１０４，１０５から制御親器１０１へのデータの送信は、制御親器１０１から操作端末器１０３，１０４，１０５への４回の信号伝送（ダミーモード、割込ポーリングモード、監視モード、割込リセット）によって完了する。また、制御親器１０１が制御子器１０２の動作状態を知ろうとするときには、モードデータＭＤを監視モードとした伝送信号Ｖｓを送出するだけでよい。
【０００８】
上記遠隔制御システムの動作を簡潔にまとめる。まず、いずれかの操作スイッチ１０３ａ，１０４ａ，１０５ａに操作入力が受け付けられると、受け付けられた操作入力に応じた監視データが操作端末器１０３，１０４，１０５から制御親器１０１に送信される。制御親器１０１は、操作スイッチ１０３ａ，１０４ａ，１０５ａのアドレスとリレーのアドレスとの対応関係を管理しており、上記監視データが受信されると、操作入力を受け付けた操作スイッチ１０３ａ，１０４ａ，１０５ａのアドレスに対し、自身が有するいずれかのリレーのアドレスが予め対応付けられている場合はそのリレーをオンオフ制御し、制御子器１０２が有するいずれかのリレーのアドレスが予め対応付けられている場合はそのリレーのオンオフ制御を制御データＣＤにおいて指示する制御モードの伝送信号Ｖｓを信号線Ｌｓに送出する。
【０００９】
また、各操作端末器１０３，１０４，１０５において、各操作スイッチ１０３ａ，１０４ａ，１０５ａには、それぞれ表示灯１０３ｂ，１０４ｂ，１０５ｂが並設されている。表示灯１０３ｂ，１０４ｂ，１０５ｂは、例えば多色発光ダイオードからなり、光の色の切り替えや点滅・連続点灯の切り替えといった点灯状態の切り替えによって、操作スイッチ１０３ａ，１０４ａ，１０５ａに対応付けられたリレーのオンオフ（すなわち、該リレーを介して給電される負荷のオンオフ）を表示する。具体的には例えば、リレーがオンオフ制御されたときに制御親器１０１から制御モードで送信される伝送信号Ｖｓに従い、各操作端末器１０３，１０４，１０５はオンオフ制御されたリレーに対応する表示灯１０３ｂ，１０４ｂ，１０５ｂの点灯状態を切り替える。
【特許文献１】特開２００６−４０８７４号公報
【特許文献２】特開平３−９４５９７号公報
【発明の開示】
【発明が解決しようとする課題】
【００１０】
ここで、操作端末器１０３，１０４，１０５には、操作スイッチ１０３ａ，１０４ａ，１０５ａとして、それぞれ１個のリレーに対応付けられる複数個の個別スイッチと、複数個のリレーに対応付けられて複数個の負荷を一括してオンオフするグループ制御に用いられるグループスイッチとを有し、各個別スイッチ及びグループスイッチをそれぞれ保持したハウジングと、各個別スイッチをそれぞれ露出させる開位置と各個別スイッチをそれぞれ覆う閉位置との間でハウジングに対して変位可能に取り付けられ閉位置においては操作力をグループスイッチに伝達するハンドルカバーとを備えるものがある。ハンドルカバーには、グループスイッチに対応した表示灯の光を通す窓部が設けられる。すなわち、ハンドルカバーを開けば（開位置に位置させれば）個別スイッチを用いることができ、ハンドルカバーを閉じれば（閉位置に位置させれば）ハンドルカバーの面積を操作面の面積としてグループスイッチを用いることができる。
【００１１】
この種の操作端末器において、ハンドルカバーを閉じた状態では個別スイッチは用いられない。従って、ハンドルカバーを閉じた状態でも個別スイッチに対応した表示灯を点灯させ続けると、電力が無駄に消費されることになる。
【００１２】
本発明は、上記事由に鑑みて為されたものであり、その目的は、電力の無駄な消費を抑えることができる操作端末器を提供することにある。
【課題を解決するための手段】
【００１３】
請求項１の発明は、個別のアドレスが割り当てられた操作スイッチを有して伝送路に接続されいずれかの操作スイッチが操作されたときに操作された操作スイッチのアドレスを含むデータを伝送路に送信する操作端末器と、負荷への給電路に挿入されたリレーを有し伝送路に接続され自身が有するリレーに予め対応付けられたアドレスを含むデータが伝送路から受信されたときに該データに含まれるアドレスに対応するリレーをオンオフ制御する制御端末器とを有する遠隔制御システムに用いられる操作端末器であって、操作スイッチとして、それぞれ１個のリレーに対応付けられる複数個の個別スイッチと、複数個のリレーに対応付けられるグループスイッチとを有し、伝送路に接続されてデータの送受信を行う通信部と、各個別スイッチとグループスイッチとのそれぞれに対応して少なくとも１個ずつ設けられた表示灯と、各表示灯においてそれぞれ対応する個別スイッチ乃至グループスイッチが対応付けられたリレーのオンオフが発光状態により表示されるように各表示灯をそれぞれ制御する制御部と、各個別スイッチとグループスイッチと各表示灯と通信部と制御部とをそれぞれ保持したハウジングと、ハウジングに対して各個別スイッチをそれぞれ覆う閉位置と各個別スイッチをそれぞれ露出させる開位置との間で変位可能に取り付けられ、閉位置においては操作力を受けてグループスイッチに伝達するハンドルカバーと、ハンドルカバーが閉位置にあるか開位置にあるかを検出する開閉検出手段とを備え、ハンドルカバーには、ハンドルカバーが閉位置にあるときにグループスイッチの各表示灯の光をそれぞれ通過させる窓部が設けられ、制御部は、開閉検出手段によってハンドルカバーが閉位置にあることが検出されているときには個別スイッチの表示灯を全て消灯させることを特徴とする。
【００１４】
この発明によれば、ハンドルカバーが閉位置にあって個別スイッチが使用されない状態で、個別スイッチの表示灯によって電力が無駄に消費されることを防ぐことができる。また、個別スイッチの表示灯の光が窓部から漏れることがないから、見栄えが改善される。
【００１５】
請求項２の発明は、請求項１の発明において、ハンドルカバーは、閉位置において開閉検出手段としての少なくとも１個の個別スイッチを押操作する押し部を有し、制御部は、ハンドルカバーの押し部によって押操作される全ての個別スイッチが所定時間以上にわたって押し続けられているときにハンドルカバーが閉位置にあると判定して個別スイッチの表示灯を全て消灯させることを特徴とする。
【００１６】
この発明によれば、開閉検出手段を別途に設ける必要がない。
【００１７】
請求項３の発明は、請求項２の発明において、押し部は複数個の個別スイッチを同時に押操作するものであることを特徴とする。
【００１８】
この発明によれば、ハンドルカバーの押し部によって押操作される個別スイッチのいずれかが使用者によって押し続けられた場合や、ハンドルカバーの押し部によって押操作される個別スイッチのいずれかにおいて故障が発生した場合であっても、ハンドルカバーが開位置にあるときに誤って個別スイッチの表示灯が消灯されることを防ぐことができる。
【００１９】
請求項４の発明は、請求項１の発明において、開閉検出手段は、ハンドルカバーに保持された検出用磁石と、ハウジングに保持されて検出用磁石の磁力を検知するホールセンサとからなり、制御部は、ホールセンサの出力に基づいてハンドルカバーが開位置にあるか閉位置にあるかを判定し、ハンドルカバーが閉位置にあるときには個別スイッチの表示灯を全て消灯させることを特徴とする。
【発明の効果】
【００２０】
本発明によれば、ハンドルカバーが閉位置にあるか開位置にあるかを検出する開閉検出手段とを備え、制御部は、開閉検出手段によってハンドルカバーが閉位置にあることが検出されているときには個別スイッチの表示灯を全て消灯させるので、ハンドルカバーが閉位置にあって個別スイッチが使用されない状態で、個別スイッチの表示灯によって電力が無駄に消費されることを防ぐことができる。また、個別スイッチの表示灯の光が窓部から漏れることがないから、見栄えが改善される。
【発明を実施するための最良の形態】
【００２１】
以下、本発明を実施するための最良の形態について、図面を参照しながら説明する。
【００２２】
本実施形態は、図２に示すように、操作入力を受け付ける操作部１１と、伝送路としての信号線Ｌｓとの間でデータの送受信を行う通信部１２と、操作部１１が有する操作スイッチに対応付けられた負荷のオンオフを表示する表示部１３と、操作部１１に受け付けられた操作入力と通信部１２に受信されたデータとに応じて通信部１２及び表示部１３をそれぞれ制御する制御部１４とを備える。制御部１４の基本的な動作は従来例で説明した操作端末器１０３，１０４，１０５と共通であるので、共通する部分についての詳細な説明は省略する。
【００２３】
また、本実施形態は、図３に示すように、操作部１１が有する操作スイッチとして、それぞれ１個ずつのリレーに対応付けられる８個の個別スイッチ４１と、複数個のリレーに対応付けられる１個のグループスイッチ４２とを備える。さらに、各個別スイッチ４１及びグループスイッチ４２をそれぞれ保持したハウジング２と、ハウジング２に対し揺動可能に取り付けられて操作力を受けてグループスイッチ４２に伝達するハンドル３とを備える。以下、上下方向は図３を基準とし、図３の左上−右下方向を左右方向と呼び、図３の左下−右上方向を前後方向と呼ぶ。
【００２４】
各個別スイッチ４１及びグループスイッチ４２はそれぞれ操作力を受ける操作ハンドル４１ａ，４２ａを有する押釦スイッチからなり、プリント配線板４０に実装されている。各個別スイッチ４１及びグループスイッチ４２は、それぞれ、操作ハンドル４１ａ，４２ａが後ろ向きの操作力を受けている間は操作ハンドル４１ａ，４２ａが通常の位置よりも後方へ変位するとともに接点が切り替わり、操作力が除去されると操作ハンドル４１ａ，４２ａと接点とがそれぞれ復帰するように構成されている。プリント配線板４０には、他に、操作部１１が有してグループスイッチ４２とリレーとの対応関係を設定するためのグループ設定スイッチ４３が、個別スイッチ４１に一対一に対応して８個、それぞれ対応する個別スイッチ４１の左側に実装されている。各グループ設定スイッチ４５はそれぞれプリント配線板４０に対して左右にスライド可能な操作ハンドル４３ａを有するスライドスイッチからなり、予め個別スイッチ４１に対応付けられた負荷をグループスイッチ４２に対応付けるか否かをグループ設定スイッチ４３の切り替えによって選択可能となっている。すなわち、グループスイッチ４２が押操作されたとき、制御部１４は、グループスイッチ４２に対応付けることがグループ設定スイッチ４３により選択された全ての個別スイッチ４１が押操作されたときと同様の動作をする。また、プリント配線板４０においてグループスイッチ４２の下側には、操作部１１が有するロータリスイッチからなり個別スイッチ４１のアドレスの設定に用いられるアドレス設定スイッチ４４が実装されている。アドレス設定スイッチ４４は前方から見てプリント配線板４に対して左右に回動可能な操作ハンドル４４ａを有しており、操作ハンドル４４ａを左右に回動させることにより、各個別スイッチ４１のアドレスを予め設定された複数通りのパターンのいずれかに切り替えることができるようになっている。さらに、プリント配線板４０には、個別スイッチ４１に一対一に対応して８個設けられた個別表示灯４５と、グループスイッチ４２に対応して設けられたグループ表示灯４６（図１参照）とが、それぞれ上下位置を対応する個別スイッチ４１又はグループスイッチ４２に合わせ、グループ設定スイッチ４３よりも左側に実装されている。表示部１３は、個別表示灯４５及びグループ表示灯４６と、プリント配線板４０に実装されて個別表示灯４５及びグループ表示灯４６をそれぞれ駆動する駆動回路（図示せず）とからなる。個別表示灯４５及びグループ表示灯４６はそれぞれ例えば２色発光ダイオードからなり、制御部１４は、対応する個別スイッチ４１又はグループスイッチ４２に予め対応付けられたリレーのオンオフが、個別表示灯４５やグループ表示灯４６の発光色の切り替えにより表示されるように表示部１３の駆動回路を介して各表示灯４５，４６をそれぞれ制御する。また、プリント配線板４０には、通信部１２を構成する回路部品（図示せず）と、制御部１４を構成する回路部品（図示せず）とが実装されている。
【００２５】
ハウジング２は、例えば合成樹脂成型品からなり収納凹部２０ａが前面に開口したハウジング本体２１と、例えば合成樹脂成型品からなりハウジング本体２１の前側に取り付けられて収納凹部２０ａを閉塞するハウジングカバー２２とからなる。ハウジングカバー２２の左右の側面にはそれぞれ上下に並ぶ２個ずつの係合凸部２２ａが左右方向の外側へ突設され、ハウジング本体２１の左右の壁にはそれぞれ上下に並ぶ２個ずつの係合穴２１ａが左右に貫設されていて、各係合凸部２２ａがそれぞれ係合穴２１ａに係入することによってハウジング本体２１とハウジングカバー２２とは互いに機械的に結合している。
【００２６】
本実施形態のハウジング２は壁面等の施工面に埋込配設されるものであって、ハウジングカバー２２は、ハウジング２よりも上下方向に突出してハウジング２の取り付けに用いられる２個の取付部２２ｂを上下両端に有する。各取付部２２ｂには、それぞれ、施工面に埋込配設される周知の埋込ボックス（図示せず）への取付用のボックスねじが挿通されるボックス穴２２ｃと、ボックス穴２２ｃの左右にそれぞれ位置し、施工面がパネル材で構成されている場合にそのパネル材を取付片との間で挟む周知のはさみ金具（図示せず）が取り付けられるＬ字形状のはさみ穴２２ｄと、ボックス穴２２ｃの上下のうち外側に位置し、ハウジング２において前方から見てハンドル３から露出する部位を覆うプレート枠（図示せず）を取り付けるためのねじが挿通されるプレート穴２２ｅと、プレート穴２２ｅの左右にそれぞれ位置し、施工面を構成する壁材に螺合する直付け用のねじが挿通される直付け穴２２ｆとが、それぞれ前後に貫設されている。
【００２７】
また、ハウジングカバー２２において、各スイッチ４１，４２，４３，４４に対応する位置には、それぞれ挿通穴２２ｇ，２２ｈ，２２ｉ，２２ｊが前後に貫設されており、各スイッチ４１，４２，４３，４４の操作ハンドル４１ａ，４２ａ，４３ａ，４４ａはそれぞれ挿通穴２２ｇ，２２ｈ，２２ｉ，２２ｊに挿通されている。さらに、ハウジングカバー２２において、各個別表示灯４５の前側にはそれぞれ個別表示灯４５の光を通過させる個別窓穴２２ｋ（図８参照）が前後に貫設され、グループ表示灯４６の前側にはグループ表示灯４６の光を通過させるグループ窓穴２２ｌ（図８参照）が前後に貫設されている。
【００２８】
ハンドル３は、例えば合成樹脂成型品からなり長方形状であって個別スイッチ４１を露出させる形でハウジング２に取り付けられたハンドル本体３１と、例えば合成樹脂成型品からなり長方形状であって図１に示すように各個別スイッチ４１をそれぞれ露出させる開位置と図４に示すように各個別スイッチ４１をそれぞれ覆う閉位置との間でハンドル本体３１に対して変位可能に取り付けられたハンドルカバー３２とを備える。
【００２９】
ここで、ハウジングカバー２２の前面の左端部には、前端部が軸方向を上下方向に向けた円柱形状に形成された軸突起２２ｍ（図８参照）が前方へ突設されており、ハンドル本体３１の後面の左端部には軸突起２２ｍが嵌合する軸受け凹部（図示せず）が設けられていて、軸受け凹部に軸突起２２ｍが嵌合することにより、ハンドル本体３１はハウジング２に対して右端部を前後に変位させるように揺動可能に取り付けられている。ハンドル本体３１の後面の右端部にはそれぞれ先が右向きに鉤状に曲がった２個の係止突起（図示せず）が上下に並んで後方へ突設され、ハウジングカバー２２の右端部には２個の係止穴２２ｎが上下に並んで前後に貫設されており、係止突起が係止穴２２ｎに挿通されて係止突起の先部がハウジングカバー２２の後面に係止されることにより、ハンドル本体３１は揺動範囲を制限されるとともに前方への脱落を防止されている。
【００３０】
また、ハンドル本体３１の後面には、グループスイッチ４２の操作ハンドル４２ａの前面に当接する押し突起（図示せず）が後方へ突設されており、ハンドル本体３１が前方から押力を受けて後方に変位すると、押し突起によりグループスイッチ４２の操作ハンドル４２ａが押操作されるようになっている。
【００３１】
さらに、ハンドル本体３１には、それぞれ円形状であって個別スイッチ４１の操作ハンドル４１ａが挿通される８個のハンドル挿通穴３１ｇと、それぞれ長方形状であってグループ設定スイッチ４３の操作ハンドル４３ａが挿通される８個のハンドル挿通穴３１ｉと、それぞれ長方形状であってハウジング２の個別窓穴２２ｋに連通し個別表示灯４５の光を通す８個の個別窓穴３１ｋと、長方形状であってハウジング２のグループ窓穴２２ｌに連通しグループ表示灯４６の光を通すグループ窓穴３１ｌとが、それぞれ前後に貫設されている。
【００３２】
また、ハンドル本体３１の前側には、個別窓穴２２ｋ及びグループ窓穴３１ｌを覆う長方形状であって各個別表示灯４５及びグループ表示灯４６の光をそれぞれ拡散させる拡散シート３３が例えば貼着によって保持されている。
【００３３】
さらに、拡散シート３３の前側には、グループ設定スイッチ４３の設定方法等が表示された長方形状の銘板３４が例えばハンドル本体３１への貼着によって保持されている。銘板３４には、８個のグループ設定スイッチ４３の操作ハンドル４３ａが挿通されるハンドル挿通穴３４ｉと、それぞれハンドル本体３１の個別窓穴３１ｋに対応する位置に設けられて個別表示灯４５の光を通す８個の個別窓穴３４ｋと、ハンドル本体３１のグループ窓穴３１ｌに対応する位置に設けられてグループ表示灯４６の光を通すグループ窓穴３４ｌとが設けられている。銘板３４の右端にはそれぞれ左右の寸法を他の部位よりも小さくする２個の位置決め切り欠き３４ｄが上下に並べて設けられ、ハンドル本体３１において位置決め切り欠き３４ｄに対応する位置にはそれぞれ位置決め突起３１ｄがそれぞれ前方へ突設されており、各位置決め突起３１ｄがそれぞれ位置決め切り欠き３４ｄに係入することにより、ハンドル本体３１に対する銘板３４の位置決めがなされている。
【００３４】
また、ハンドル本体３１の左端部には、上下の端面がそれぞれ他の部位の上下の端面よりも上下方向の内側に位置し前面が上下の全長にわたって他の部位の前面よりも前方へ突出した軸受け部３１ｂが設けられている。ハンドルカバー３２は、長方形状の本体部３２ａと、本体部３２ａの上下両端部からそれぞれ左方へ突出する２個の連結凸部３２ｂと、各連結凸部３２ｂにおいて上下方向の内側の端面からそれぞれ下方向の内側へ突設された軸突起３２ｃとを有する。ハンドル本体３１の軸受け部３１ｂの上下両端面にはそれぞれ軸受け凹部３１ｃが設けられており、各軸突起３２ｃがそれぞれ軸受け凹部３１ｃに挿入されることにより、ハンドルカバー３２は、ハンドル本体３１に対し、図１のような開位置と図４のような閉位置との間で、上方から見て左右に回動可能に連結されている。そして、ハンドルカバー３２が閉位置にあるときには、ハンドルカバー３２が受けた後ろ向きの押力は、ハンドル本体３１を介してグループスイッチ４２の操作ハンドル４２ａに伝達される。また、ハンドルカバー３２において閉位置でグループ表示灯４６の前側に位置する箇所には窓穴３２ｄが設けられている。ハンドルカバー３２の前面には上下に長く底面に窓穴３２ｄが開口した保持溝３２ｅが設けられており、保持溝３２ｅには、透光性を有する材料からなり窓穴３２ｄを閉塞して閉位置においてグループ表示灯４６の光を通す窓部を構成する窓体３５が保持されている。
【００３５】
さらに、ハンドルカバー３２の後面には、ネームカード３６が収納されるカード収納凹部３２ｆが設けられており、ハンドルカバー３２においてカード収納凹部３２ｆの底面（すなわちネームカード３６の前側）には透明な材料で構成されてネームカード３６をハンドルカバー３２の前方から視認可能とする窓部３２ｇが設けられている。ここで、ハンドルカバー３２には、本体部３２ａの後面に対し間に隙間を空けて対向する複数個の保持部３２ｈが設けられており、保持部３２ｈと本体部３２ａとの間には長方形状の保持板３７が挟持されていて、ネームカード３６の後方への脱落は保持板３７によって防止されている。
【００３６】
ここで、ハンドルカバー３２の保持部３２ｈの一部は、閉位置において図５に示すように一番下の個別スイッチ４１を押操作する押し部３２ｉとなっている。制御部１４は、押し部３２ｉによって押操作される個別スイッチ４１が押操作されたとき、個別スイッチ４１が所定時間以内に復帰すれば個別スイッチ４１が使用者によって押操作されたとみなして個別スイッチ４に対応する負荷をオンオフ制御させるための動作を行う一方、個別スイッチ４１が所定時間以上にわたって押操作されていれば使用者による押操作ではなくハンドルカバー３２が閉位置にあると判断して全ての個別表示灯４５を消灯させる。つまり、押し部３２ｉによって押操作される個別スイッチ４１が開閉検出手段となっている。
【００３７】
上記構成によれば、ハンドルカバー３２が閉位置にあって個別スイッチ４１が用いられないときには個別表示灯４５を消灯させるから、個別表示灯４５による無駄な電力消費が防止される。また、窓体３５を通じて個別表示灯４５の光が漏れることがないから、見栄えが改善される。
【００３８】
なお、図６及び図７に示すように、押し部３２ｉを複数個（図では２個）の個別スイッチ４１を同時に押操作する寸法形状とするとともに、制御部１４が、押し部３２ｉによって押操作される全ての個別スイッチ４１が所定時間以上にわたって押操作されているときにのみハンドルカバー３２が閉位置にあると判定するようにしてもよい。この構成を採用すれば、使用者が個別スイッチ４１を押し続けた場合や、押操作されたときの接点状態のまま復帰しなくなる故障が個別スイッチ４１に生じた場合などに、ハンドルカバー３２が開位置にあるにも関わらず個別表示灯４５が消灯されてしまうことを防ぐことができる。
【００３９】
また、例えば図８に示すようにハウジング２にホールセンサ５１を保持するとともに、図９に示すようにハンドルカバー３２に検出用磁石５２を保持し、ホールセンサ５１が検出用磁石５２の磁界を検出することによってハンドルカバー３２の開閉を判定するようにしてもよい。ただし、ハウジングカバー３２の開閉を検出する開閉検出手段としては、本実施形態のように個別スイッチ４１を用いたほうが、上記ホールセンサ５１のような開閉検出手段を別途に設ける必要がなく部品点数を削減することができるから望ましい。
【図面の簡単な説明】
【００４０】
【図１】本発明の実施形態においてハンドルカバーが開位置にある状態を示す正面図である。
【図２】同上を示すブロック図である。
【図３】同上を示す分解斜視図である。
【図４】同上においてハンドルカバーが閉位置にある状態を示す正面図である。
【図５】同上の要部を示す断面図である。
【図６】同上の別の形態においてハンドルカバーが開位置にある状態を示す正面図である。
【図７】図６の形態の要部を示す断面図である。
【図８】同上の更に別の形態におけるハウジングを示す斜視図である。
【図９】図８の形態の要部を示す断面図である。
【図１０】遠隔制御システムの概略構成を示す説明図である。
【図１１】（ａ）は遠隔制御システムにおける伝送信号のフレーム構成を示す説明図であり、（ｂ）は（ａ）の伝送信号の波形の一例を示す説明図であり、（ｃ）は遠隔監視制御システムにおける割込信号の波形の一例を示す説明図である。
【符号の説明】
【００４１】
２  ハウジング
１２  通信部
１４  制御部
３２  ハンドルカバー
３２ｄ  窓穴
３２ｉ  押し部
３５  窓体
４１  個別スイッチ
４２  グループスイッチ
４５  個別表示灯
５１  ホールセンサ
５２  検出用磁石
Ｌｓ  信号線
【図１】
2008109516.tif 000003
【図２】
2008109516.tif 000004
【図３】
2008109516.tif 000005
【図４】
2008109516.tif 000006
【図５】
2008109516.tif 000007
【図６】
2008109516.tif 000008
【図７】
2008109516.tif 000009
【図８】
2008109516.tif 000010
【図９】
2008109516.tif 000011
【図１０】
2008109516.tif 000012
【図１１】
2008109516.tif 000013